(57)【要約】【課題】ヒータの輻射熱が反射板の外に漏れるのを抑えることができる定着装置を提供することを目的とする。【解決手段】本発明の定着装置は、長尺状のニップ板と、ニップ板と摺動するように構成された定着ベルトと、ニップ板の定着ベルトが摺動する側と反対側に配置され、ニップ板の長手方向における少なくとも一端に導電軸を有するハロゲンランプ１２０と、ハロゲンランプ１２０からの輻射熱をニップ板に向けて反射する金属製の反射板１５０とを備える。反射板１５０は、ハロゲンランプ１２０に沿って延びる反射部１５１と、反射部１５１の長手方向における前記一端側の端部から屈曲して導電軸１２２に向けて延びるように形成された側壁部１５３とを有する。ハロゲンランプ１２０は、導電軸を覆う絶縁性の被覆部１２３を有する。【選択図】図３
2014056148.tif 000002
【特許請求の範囲】
【請求項１】
長尺状のニップ部材と、
前記ニップ部材と摺動するように構成されたベルトと、
前記ニップ部材の前記ベルトが摺動する側と反対側に配置され、前記ニップ部材の長手方向における少なくとも一端に導電軸を有するヒータと、
前記ヒータからの輻射熱を前記ニップ部材に向けて反射する金属製の反射板とを備え、
前記反射板は、
前記ヒータに沿って延びる反射部と、
前記反射部の前記長手方向における前記一端側の端部から屈曲して前記導電軸に向けて延びるように形成された側壁部とを有し、
前記ヒータは、前記導電軸を覆う絶縁性の被覆部を有することを特徴とする定着装置。
【請求項２】
前記反射板および前記ヒータのうち少なくとも一方を遊びを持って支持する支持部材を備え、
前記側壁部は、前記被覆部を前記ベルトの摺動方向で挟み、前記側壁部と前記被覆部の前記摺動方向における相対的な移動を規制するように構成されたことを特徴とする請求項１に記載の定着装置。
【請求項３】
前記側壁部は、前記ヒータが前記ニップ部材と対向する方向で、前記被覆部と対向し、前記ヒータが前記ニップ部材から遠ざかることを規制するように構成されたことを特徴とする請求項１または請求項２に記載の定着装置。
【請求項４】
前記側壁部は、前記被覆部と対向する端部に、前記被覆部に沿って屈曲したフランジを有することを特徴とする請求項２または請求項３に記載の定着装置。
【請求項５】
前記被覆部は、前記側壁部の前記長手方向外側から内側に延びていることを特徴とする請求項１から請求項４のいずれか１項に記載の定着装置。
【請求項６】
前記被覆部の表面のうち、少なくとも前記側壁部の前記長手方向内側に位置する部分に反射層を設けることを特徴とする請求項５に記載の定着装置。
【発明の詳細な説明】
【技術分野】
【０００１】
本発明は、ヒータと、反射板とを備えた定着装置に関する。
【背景技術】
【０００２】
従来、電子写真方式の画像形成装置に用いられる定着装置は、ニップ部材と、ニップ部材と摺動するベルトと、両端に導電軸を有するヒータと、ヒータからの輻射熱をニップ部材に向けて反射する反射板とを備えたものが知られている（例えば、特許文献１参照）。
【０００３】
この定着装置における反射板は、ヒータに沿って延びる反射部と、反射部から屈曲して導電軸に向けて延びるように形成された側壁部を有している。この側壁部により、ヒータの輻射熱をヒータの長手方向中央部に向けて反射することができる。
【先行技術文献】
【特許文献】
【０００４】
【特許文献１】特開２０１１−９５５４０号公報
【発明の概要】
【発明が解決しようとする課題】
【０００５】
ところで、上記構成の場合、導電軸から側壁部に電流が流れないように、導電軸と側壁部の間に絶縁のための隙間を設ける必要がある。しかしながら、導電軸と側壁部との間に隙間を設けると、その隙間からヒータの輻射熱が漏れるという問題が生じる。
【０００６】
本発明は、以上の背景に鑑みてなされたものであり、ヒータの輻射熱が反射板の外に漏れるのを抑えることができる定着装置を提供することを目的とする。
【課題を解決するための手段】
【０００７】
前記した目的を達成するため、本発明の定着装置は、長尺状のニップ部材と、ニップ部材と摺動するように構成されたベルトと、ニップ部材のベルトが摺動する側と反対側に配置され、ニップ部材の長手方向における少なくとも一端に導電軸を有するヒータと、ヒータからの輻射熱をニップ部材に向けて反射する金属製の反射板とを備える。
反射板は、ヒータに沿って延びる反射部と、反射部の前記長手方向における前記一端側の端部から屈曲して導電軸に向けて延びるように形成された側壁部とを有する。
ヒータは、導電軸を覆う絶縁性の被覆部を有する。
【０００８】
このような構成によれば、導電軸に絶縁性の被覆部を設けたことにより、反射板の側壁部を導電軸に近づけることができるので、ヒータの輻射熱が漏れるのを抑制することができる。
【０００９】
前記した定着装置において、反射板およびヒータのうち少なくとも一方を遊びを持って支持する支持部材を備え、側壁部は、被覆部をベルトの摺動方向で挟み、側壁部と被覆部の前記摺動方向における相対的な移動を規制するような構成とすることができる。
【００１０】
このような構成によれば、側壁部と被覆部の摺動方向における相対的な移動が規制されるので、ベルトの摺動方向における反射板およびヒータの相対位置のずれを低減することができる。
【００１１】
前記した定着装置において、側壁部は、ヒータがニップ部材と対向する方向で、被覆部と対向し、ヒータがニップ部材から遠ざかることを規制するような構成とすることができる。
【００１２】
このような構成によれば、側壁部によってヒータがニップ部材から遠ざかることを規制するので、ヒータの反射板側への位置ずれを規制することができる。
【００１３】
前記した構成において、側壁部は、被覆部と対向する端部に、被覆部に沿って屈曲したフランジを有していてもよい。
【００１４】
このような構成によれば、被覆部に沿って屈曲したフランジの面によって被覆部の移動が規制されるので、側壁部と被覆部の前記摺動方向における相対的な移動をより規制することができる。
【００１５】
前記した構成において、被覆部は、側壁部の前記長手方向外側から内側に延びている構成とすることができる。
【００１６】
このような構成によれば、被覆部が側壁部の長手方向外側から内側に延びているので、製造誤差等により側壁部が被覆部に対して長手方向へ多少ずれても側壁部が被覆部から長手方向に外れることを抑制することができる。そのため、側壁部と被覆部の摺動方向における相対的な位置ずれをより規制することできる。
【００１７】
また、前記した被覆部が側壁部の前記長手方向外側から内側に延びている構成において、被覆部の表面のうち、少なくとも前記側壁部の前記長手方向内側に位置する部分に反射層を設けた構成とすることができる。
【００１８】
このような構成によれば、被覆部の表面においては反射層によりヒータの輻射熱を反射し、かつ、導電軸を覆っている部分においては絶縁性を有するので、ヒータの電流が側壁部に漏れることを抑制しつつ、加熱効率をさらに向上させることができる。
【発明の効果】
【００１９】
本発明によれば、導電軸に絶縁性の被覆部を設けたことにより、反射板の側壁部を導電軸に近づけることができるので、ヒータの輻射熱が漏れるのを抑制することができる。
【図面の簡単な説明】
【００２０】
【図１】本発明の実施形態に係る定着装置を備えたレーザプリンタを示す断面図である。
【図２】定着装置を示す断面図である。
【図３】ハロゲンヒータと反射板を示す斜視図である。
【図４】ステイ、反射板およびハロゲンヒータが組み付けられたカバー部材からヒータ支持部材を外した状態を下から見た分解斜視図（ａ）と、ヒータ支持部を装着した状態を下から見た斜視図（ｂ）である。
【図５】図４（ｂ）のＡ−Ａ断面図である。
【図６】変形例に係る反射板および被覆部がステイに組み付けられた状態を下方向から見た拡大図である。
【発明を実施するための形態】
【００２１】
次に、本発明の一実施形態について、適宜図面を参照しながら詳細に説明する。なお、以下の説明では、まず、本実施形態に係る定着装置１００を備えたレーザプリンタ１の概略構成を簡単に説明した後、定着装置１００の詳細な構成について説明する。
【００２２】
また、以下の説明において、方向は、レーザプリンタ１を使用するユーザを基準にした方向で説明する。すなわち、図１における左側を「前」、右側を「後」とし、奥側を「左」、手前側を「右」とする。また、図１における上下方向を「上下」とする。
【００２３】
＜レーザプリンタと定着装置の概略構成＞
図１に示すように、レーザプリンタ１は、本体筐体２内に、用紙Ｓを供給する給紙部３と、露光装置４と、用紙Ｓ上にトナー像（現像剤像）を転写するプロセスカートリッジ５と、用紙Ｓ上に転写されたトナー像を熱定着する定着装置１００とを主に備えている。
【００２４】
給紙部３は、本体筐体２内の下部に設けられ、給紙トレイ３１と、用紙押圧板３２と、給紙機構３３とを主に備えている。給紙トレイ３１に収容された用紙Ｓは、用紙押圧板３２によって上方に寄せられ、給紙機構３３によってプロセスカートリッジ５（感光体ドラム６１と転写ローラ６３との間）に向けて供給される。
【００２５】
露光装置４は、本体筐体２内の上部に配置され、図示しないレーザ発光部や、符号を省略して示すポリゴンミラー、レンズ、反射鏡などを備えている。この露光装置４では、レーザ発光部から出射される画像データに基づくレーザ光（鎖線参照）が、感光体ドラム６１の表面で高速走査されることで、感光体ドラム６１の表面を露光する。
【００２６】
プロセスカートリッジ５は、露光装置４の下方に配置され、本体筐体２に設けられたフロントカバー２１を開いたときにできる開口から本体筐体２に対して着脱可能に装着される構成となっている。このプロセスカートリッジ５は、ドラムユニット６と、現像ユニット７とから構成されている。
【００２７】
ドラムユニット６は、感光体ドラム６１と、帯電器６２と、転写ローラ６３とを主に備えている。また、現像ユニット７は、ドラムユニット６に対して着脱可能に装着される構成となっており、現像ローラ７１と、供給ローラ７２と、層厚規制ブレード７３と、トナー（現像剤）を収容するトナー収容部７４とを主に備えている。
【００２８】
このプロセスカートリッジ５では、感光体ドラム６１の表面が、帯電器６２により一様に帯電された後、露光装置４からのレーザ光の高速走査によって露光されることで、感光体ドラム６１上に画像データに基づく静電潜像が形成される。また、トナー収容部７４内のトナーは、供給ローラ７２を介して現像ローラ７１に供給され、現像ローラ７１と層厚規制ブレード７３の間に進入して一定厚さの薄層として現像ローラ７１上に担持される。
【００２９】
現像ローラ７１上に担持されたトナーは、現像ローラ７１から感光体ドラム６１上に形成された静電潜像に供給される。これにより、静電潜像が可視像化され、感光体ドラム６１上にトナー像が形成される。その後、感光体ドラム６１と転写ローラ６３の間を用紙Ｓが搬送されることで感光体ドラム６１上のトナー像が用紙Ｓ上に転写される。
【００３０】
定着装置１００は、プロセスカートリッジ５の後方に設けられている。用紙Ｓ上に転写されたトナー像（トナー）は、定着装置１００を通過することで用紙Ｓ上に熱定着される。トナー像が熱定着された用紙Ｓは、搬送ローラ２３，２４によって排紙トレイ２２上に排出される。
【００３１】
＜定着装置の詳細構成＞
図２に示すように、定着装置１００は、ベルトの一例としての定着ベルト１１０と、ヒータの一例としてのハロゲンランプ１２０と、ニップ部材の一例としてのニップ板１３０と、加圧ローラ１４０と、反射板１５０と、ステイ１６０と、カバー部材２１０とを主に備えている。
【００３２】
定着ベルト１１０は、耐熱性と可撓性と有する無端状のステンレス綱製のベルトであり、カバー部材２１０により回転が案内され、ニップ板１３０と摺動するように構成されている。
【００３３】
ハロゲンランプ１２０は、輻射熱を発してニップ板１３０および定着ベルト１１０を加熱することで用紙Ｓ上のトナーを加熱する部材であり、ニップ板１３０の定着ベルト１１０が摺動する側と反対側において定着ベルト１１０およびニップ板１３０の内面から所定の間隔をあけて配置されている。
【００３４】
図３に示すように、ハロゲンランプ１２０は、細長い円筒状のガラス管１２１内に図示しないフィラメントを配置し、ガラス管１２１の左右方向両端部を封止してその内部にハロゲン元素を含む不活性ガスを封入して形成されている。
このハロゲンランプ１２０は、左右方向（長手方向）における両端部に、導電軸１２２および被覆部１２３（右側のみ図示）を有している。
【００３５】
導電軸１２２は、フィラメントが電気的に接続されている。
被覆部１２３は、セラミックなどの絶縁性の部材で構成されており、導電軸１２２を覆っている。この被覆部１２３は、矩形の筒状に形成されており、ガラス管１２１の封止部に嵌め込まれている。
【００３６】
図２に戻り、ニップ板１３０は、左右方向に延びて配置され、ハロゲンランプ１２０からの輻射熱を受ける長尺状の部材である。本実施形態において、ニップ板１３０は、金属製であり、例えば、スチール製のステイ１６０より熱伝導率が大きい、アルミニウム板などを折り曲げることで形成されている。また、ニップ板１３０は、定着ベルト１１０との摺動面に非金属の保護層（例えば、フッ素コーティングが施されたもの）を設けたものを用いてもよい。
【００３７】
加圧ローラ１４０は、ニップ板１３０との間で定着ベルト１１０を挟むことで定着ベルト１１０との間にニップ部Ｎを形成する部材であり、ニップ板１３０の下方に配置されている。本実施形態においては、ニップ部Ｎを形成するために、ニップ板１３０および加圧ローラ１４０の一方を他方に向けて付勢している。そして、この加圧ローラ１４０は、ニップ板１３０との間で定着ベルト１１０を挟んだ状態で回転することで、当該定着ベルト１１０とともに回転して用紙Ｓを後方に搬送するようになっている。
【００３８】
加圧ローラ１４０は、本体筐体２内に設けられた図示しないモータから駆動力が伝達されて回転駆動するように構成されており、回転駆動することで定着ベルト１１０または用紙Ｓとの摩擦力により定着ベルト１１０を従動回転させる。トナー像が転写された用紙Ｓは、加圧ローラ１４０と加熱された定着ベルト１１０の間（ニップ部Ｎ）を搬送されることでトナー像（トナー）が熱定着されることとなる。
【００３９】
反射板１５０は、ハロゲンランプ１２０からの輻射熱をニップ板１３０に向けて反射する部材であり、定着ベルト１１０の内側でハロゲンランプ１２０を囲うように、ハロゲンランプ１２０から所定の間隔をあけて配置されている。
【００４０】
この反射板１５０は、赤外線および遠赤外線の反射率が大きい、例えば、アルミニウム板などを断面視Ｕ字状に湾曲させて形成されている。より詳細に、反射板１５０は、Ｕ字形状をなす反射部１５１と、反射部１５１の前後方向における両端縁（ニップ板１３０側の各端縁）から前後方向外側に向けて延びるフランジ１５２と、側壁部１５３（図３参照）とを有している。
反射板１５０は、各フランジ１５２が、ステイ１６０とニップ板１３０とで挟まれることで、ステイ１６０に支持されている。
【００４１】
反射部１５１は、図３に示すように、ハロゲンランプ１２０に沿って延びており、前壁１５１Ａと、後壁１５１Ｂと、上壁１５１Ｃとを有している。なお、反射部１５１は、ハロゲンランプ１２０に対して多少傾斜して配置されていてもよい。
【００４２】
側壁部１５３は、反射部１５１の上壁１５１Ｃの左右方向における右側端部から略垂直に屈曲して導電軸１２２に向けて延びるように形成されている。より詳細に、側壁部１５３は、導電軸１２２の前側に配置された前側壁部１５３Ａと、導電軸１２２の後側に配置された後側壁部１５３Ｂと、導電軸１２２の上側に配置された上側壁部１５３Ｃとを有している。
【００４３】
前側壁部１５３Ａ、後側壁部１５３Ｂおよび上側壁部１５３Ｃは、左右方向から見て略Ｕ字形状となるように構成されており、ハロゲンランプ１２０の輻射熱を左右方向中央部側に向けて反射する。
【００４４】
ここで、被覆部１２３は、図４（ａ）に示すように、ステイ１６０に支持された反射板１５０の側壁部１５３が位置する部分に配置される。より詳細に、被覆部１２３は、側壁部１５３の左右方向外側から内側まで延びるように配置されており、前側壁部１５３Ａと後側壁部１５３Ｂとに前後方向（定着ベルト１１０の摺動方向）にて挟まれ、上下方向にて上側壁部１５３Ｃと対向している。詳しくは、前側壁部１５３Ａ、後側壁部１５３Ｂおよび上側壁部１５３Ｃは、被覆部１２３に近接している（図５参照）。そして、このように近接することで、前側壁部１５３Ａ、後側壁部１５３Ｂおよび上側壁部１５３Ｃは、被覆部１２３の移動を規制するような構成となっている。なお、前側壁部１５３Ａおよび後側壁部１５３Ｂは、被覆部１２３に接触していてもよいし、接触していなくてもよい。
【００４５】
例えば、被覆部１２３が、カバー部材２１０とともにステイ１６０に前後方向に遊びを持って支持される構成の場合、被覆部１２３がカバー部材２１０とともに、前後方向においてステイ１６０（反射板１５０）に対してガタついたとしても、前側壁部１５３Ａおよび後側壁部１５３Ｂにより被覆部１２３の前後方向における移動が規制される。つまり、カバー部材２１０（被覆部１２３）のステイ１６０に対する遊び量より、被覆部１２３と前側壁部１５３Ａおよび後側壁部１５３Ｂとの遊び量を小さくすることで、前側壁部１５３Ａおよび後側壁部１５３Ｂにより、被覆部１２３の前後方向における移動を規制するような構成となっている。なお、この場合、ステイ１６０は、カバー部材２１０を介して被覆部１２３（ハロゲンランプ１２０）を遊びを持って支持する支持部材に相当する。
【００４６】
また、被覆部１２３が、カバー部材２１０とともにステイ１６０に上下方向に遊びを持って支持される構成の場合、被覆部１２３がカバー部材２１０とともに上下方向、すなわちハロゲンランプ１２０がニップ板１３０と対向する方向において、ステイ１６０（反射板１５０）に対してガタついたとしても、上側壁部１５３Ｃにより被覆部１２３の上下方向における移動（上方への移動）が規制される。つまり、カバー部材２１０（被覆部１２３）のステイ１６０に対する遊び量より、被覆部１２３と上側壁部１５３Ｃとの遊び量を小さくすることで、上側壁部１５３Ｃにより、ハロゲンランプ１２０がニップ板１３０から遠ざかることを規制するような構成となっている。
【００４７】
図２に戻り、ステイ１６０は、ニップ板１３０を反射板１５０を介して支持することで加圧ローラ１４０からの荷重を受ける部材であり、定着ベルト１１０の内側でハロゲンランプ１２０や反射板１５０を囲うように配置されている。なお、ここでいう荷重は、ニップ板１３０が加圧ローラ１４０を付勢する構成においては、ニップ板１３０が加圧ローラ１４０を付勢する反力をいうものとする。
【００４８】
詳しくは、ステイ１６０は、上壁１６１と、上壁１６１の前端から下方に延びる前壁１６２と、上壁１６１の後端から下方に延びる後壁１６３とによって断面視Ｕ字形状に形成されている。そして、前壁１６２の下端部には、前側に延びるフランジ１６４が形成されている。
【００４９】
このようなステイ１６０は、比較的剛性が高い、例えば、鋼板などを折り曲げることで形成されている。
【００５０】
カバー部材２１０は、断面視Ｕ字形状をなして左右方向に長く延びるように形成されており、ステイ１６０を挟んでハロゲンランプ１２０とは反対側でステイ１６０を覆うように配置されている。カバー部材２１０は、後側壁２１１と、前側壁２１２と、後側壁２１１および前側壁２１２の上端同士を連結するように延びる上壁２１３とを主に有している。
【００５１】
カバー部材２１０は、図４（ａ）に示すように、被覆部１２３を支持するヒータ支持部材２１４と、被覆部１２３の後側に位置し、ヒータ支持部材２１４を係合するための係合部２１５と、被覆部１２３の前側に位置し、ヒータ支持部材２１４を固定するための取付面２１８とを有している。
係合部２１５は、左右方向から見て前方に向けて開口する略コの字形に形成されている。
【００５２】
取付面２１８には、ヒータ支持部材２１４を固定するための取付穴２１６および突起２１７が形成されている。取付穴２１６および突起２１７は、被覆部１２３から前側に少し離れた位置に前後に並んで配置されている。
【００５３】
ヒータ支持部材２１４は、係合爪２１４Ａと、支持部２１４Ｂと、取付部２１４Ｅとを有している。
支持部２１４Ｂは、被覆部１２３を支持する部分であり、下方に向けて開口するＵ字状となるように形成され、被覆部１２３の右端部の下側を前後に挟んでいる。
係合爪２１４Ａは、支持部２１４Ｂの後端部から後方に突出するように形成されている。
取付部２１４Ｅは、支持部２１４Ｂの前端部から前方に延びて形成されている。この取付部２１４Ｅには、取付穴２１６に対応する位置に設けられる支持部側取付穴２１４Ｃと、突起２１７に対応する位置に設けられる突起用穴２１４Ｄとが形成されている。
【００５４】
ヒータ支持部材２１４は、図４（ｂ）に示すように、係合爪２１４Ａがコの字形の係合部２１５内に嵌め込まれるように係合された上で、突起用穴２１４Ｄに突起２１７が嵌め込まれ、図示しないネジを支持部側取付穴２１４Ｃに通して取付穴２１６にねじ込むことでカバー部材２１０に固定されている。
【００５５】
以上のようにして、被覆部１２３は、ヒータ支持部材２１４の支持部２１４Ｂに支持され、図５に示すような位置に所定の隙間をあけて側壁部１５３に囲まれるように配置されている。
【００５６】
以上のように構成された定着装置１００によれば、被覆部１２３が導電軸１２２を覆うように設けられたことにより、側壁部１５３を、被覆部１２３に近づけることができる。すなわち、被覆部１２３と側壁部１５３との隙間を狭めることができるので、被覆部１２３を設けない構成と比較して、ハロゲンランプ１２０の輻射熱が漏れるのを抑制することができる。
【００５７】
また、被覆部１２３が、前後方向において反射板１５０に対してガタついたとしても、前側壁部１５３Ａおよび後側壁部１５３Ｂにより被覆部１２３の前後方向における移動が規制される。そのため、前後方向における反射板１５０およびハロゲンランプ１２０の相対位置のずれを低減することができる。
【００５８】
また、上側壁部１５３Ｃが、上下方向、すなわちハロゲンランプ１２０がニップ板１３０と対向する方向で被覆部１２３と対向しているので、被覆部１２３が、上下方向において反射板１５０に対してガタついても、ハロゲンランプ１２０がニップ板１３０から遠ざかることを規制することができる。そのため、ハロゲンランプ１２０の反射板１５０側への位置ずれを規制することができる。
【００５９】
また、被覆部１２３が、側壁部１５３の左右方向外側から内側に延びているので、製造誤差等により側壁部１５３が被覆部１２３に対して左右方向へ多少ずれても側壁部１５３が被覆部１２３から左右方向に外れることを抑制することができる。そのため、側壁部１５３と被覆部１２３の前後方向における相対的な位置ずれをより規制することができる。
【００６０】
以上、本発明の実施形態について説明したが、本発明は前記実施形態に限定されるものではない。具体的な構成については、本発明の趣旨を逸脱しない範囲で適宜変更が可能である。
【００６１】
前記実施形態では、側壁部１５３を前側壁部１５３Ａ、後側壁部１５３Ｂおよび上側壁部１５３Ｃで構成していたが、本発明はこれに限定されるものではない。例えば、図６に示すように、側壁部１５３が、被覆部１２３と対向する端部に被覆部１２３に沿って屈曲したフランジ１５３Ｄを有していてもよい。
この構成によれば、被覆部１２３に沿って屈曲したフランジ１５３Ｄの面によって被覆部１２３の移動が規制されるので、側壁部１５３と被覆部１２３の前後方向における相対的な移動をより規制することができる。
【００６２】
前記実施形態では、被覆部１２３が、側壁部１５３の左右方向外側から内側に延びていたが、本発明はこれをさらに改善して、被覆部１２３の表面のうち側壁部１５３の左右方向内側に位置する部分に反射層１２３Ａを設けた構成としてもよい。
この構成によれば、被覆部１２３の表面においては反射層１２３Ａにより、ハロゲンランプ１２０の輻射熱を反射し、かつ、導電軸１２２を覆っている部分においては絶縁性を有するので、ハロゲンランプ１２０の電流が側壁部１５３に漏れるのを抑制しつつ、加熱効率をさらに向上させることができる。なお、反射層１２３Ａは、被覆部１２３の表面全てに設けてもよい。
【００６３】
前記実施形態では、被覆部１２３がカバー部材２１０を介してステイ１６０に遊びを持って支持された例を説明したが、本発明はこれに限定されるものでない。例えば、反射板１５０が、支持部材の一例としてのステイ１６０に遊びを持って支持されていてもよく、被覆部１２３を支持するカバー部材２１０および反射板１５０が、ともに遊びを持ってステイ１６０に支持されていてもよい。
【００６４】
この場合であっても、例えば、反射板１５０が、前後方向において被覆部１２３に対してガタついたとしても、前側壁部１５３Ａおよび後側壁部１５３Ｂと被覆部１２３の当接により前後方向における移動が規制される。また、反射板１５０および被覆部１２３が相互にガタついたとしても、前側壁部１５３Ａおよび後側壁部１５３Ｂと被覆部１２３の当接により前後方向における移動が規制される。
【００６５】
前記実施形態では、ステイ１６０が被覆部１２３を支持したカバー部材２１０を遊びを持って支持した例を説明したが、本発明はこれに限定されず、ヒータ支持部材２１４が被覆部１２３を遊びを持って支持していてもよい。この場合であっても、例えば、被覆部１２３が、前後方向において反射板１５０に対してガタついたとしても、前側壁部１５３Ａおよび後側壁部１５３Ｂにより被覆部１２３の前後方向における移動が規制される。
【００６６】
前記実施形態では、ヒータ支持部材２１４は、カバー部材２１０に設けられていたが、別の部材、例えばステイ１６０に設けられていてもよい。
【００６７】
前記実施形態では、側壁部１５３は、反射部１５１の左右方向における右側端部に設けられていたが、反射部１５１の左右方向における両端部に設けられていてもよい。
【００６８】
前記実施形態では、導電軸１２２および被覆部１２３は、ハロゲンランプ１２０の左右方向における両端部に設けられていたが、左右方向における一端部にのみ設けられていてもよい。その場合、側壁部１５３は、反射部１５１の左右方向における一端部から屈曲して導電軸１２２に向けて延びるように形成すればよい。
【符号の説明】
【００６９】
１００    定着装置
１１０    定着ベルト
１２０    ハロゲンランプ
１２２    導電軸
１２３    被覆部
１２３Ａ  反射層
１３０    ニップ板
１５０    反射板
１５１    反射部
１５３    側壁部
１５３Ａ  前側壁
１５３Ｂ  後側壁
１５３Ｃ  上側壁
１５３Ｄ  フランジ
１６０    ステイ
２１４    ヒータ支持部材
【図１】
2014056148.tif 000003
【図２】
2014056148.tif 000004
【図３】
2014056148.tif 000005
【図４】
2014056148.tif 000006
【図５】
2014056148.tif 000007
【図６】
2014056148.tif 000008